(57)【要約】【課題】  中心導体をずれがない状態で半田結線せずに中心端子に圧接接続できる同軸電気コネクタを提供することを課題とする。【解決手段】  中心端子１０の接続部の支持面１２上に配された中心導体を圧する押圧部材２２，１５を有する同軸電気コネクタにおいて、押圧部材２２，１５は誘電体２０もしくは中心端子１０の一部として形成されて中心端子の接続部の支持面１２の中心導体Ｃ４を押圧するよう接続部に向け屈曲可能となっており、押圧部材２２の中心導体に対する押圧面２２Ｂ−１と中心端子の接続部の支持部１２との少なくとも一方に、中心導体をその半径方向での正規位置を定める位置規制部２２Ｂ−１が形成されていて、蓋部の屈曲により、中心導体が押圧部材からの押圧力を受けて位置規制部で正規位置に保持される。  【選択図】  図１
2008147094.tif 000002
【特許請求の範囲】
【請求項１】
相手コネクタとの嵌合方向に軸線をもち一端側で開口せる嵌合筒状部を有する外部導体と、該嵌合筒状体内に収められ保持されている誘電体と、同軸ケーブルの中心導体が接続される接続部及び相手端子に接触する接触部を備え上記誘電体で保持されている中心端子と、上記接続部の支持面上に配された上記中心導体を圧する押圧部材とを有し、上記外部導体は上記嵌合筒状部との境界で屈曲されて該嵌合筒状部を覆う蓋部と、該蓋部に連続して形成され該蓋部の屈曲後に同軸ケーブルを囲繞保持する囲繞部とを有する同軸電気コネクタにおいて、押圧部材は誘電体もしくは中心端子の一部として形成されて上記中心端子の接続部の支持面の上記中心導体を押圧するよう該接続部に向け屈曲可能となっており、該押圧部材の上記中心導体に対する押圧面と中心端子の接続部の支持部との少なくとも一方に、中心導体をその半径方向での正規位置を定める位置規制部が形成されていて、上記蓋部の屈曲により、中心導体が押圧部材からの押圧力を受けて上記位置規制部で正規位置に保持されるようになっていることを特徴とする同軸電気コネクタ。  
【請求項２】
誘電体は、屈曲時の蓋部に押圧されて屈曲する屈曲片を該誘電体の一部として有し、該絶縁屈曲片が押圧部材を形成していることとする請求項１に記載の同軸電気コネクタ。
【請求項３】
端子は屈曲時の絶縁屈曲片に押圧されて屈曲する端子屈曲片を該端子の一部として有し、該端子屈曲片が押圧部材を形成していることとする請求項１に記載の同軸電気コネクタ。    
【請求項４】
位相規制部は中心導体の軸線方向に延びる溝部であり、該溝部は溝幅方向で中央位置が一番深く溝側縁位置に向け浅くなっている傾斜溝として形成されて中心導体の案内が可能であることとする請求項１に記載の同軸電気コネクタ。
【請求項５】
端子は押圧部材の幅方向両側縁部を受ける受部を該端子の両側縁に有していることとする請求項１に記載の同軸電気コネクタ。
【請求項６】
押圧部材は、幅方向両側縁部側の肉薄部と幅方向中央部で該肉薄部に対して押圧面が突出する肉厚部とを有していることとする請求項５に記載の同軸電気コネクタ。
【請求項７】
端子は接続部の支持面そして押圧部材の押圧面の少なくとも一方に中心導体の軸線方向移動を阻止する凹凸部が形成されていることとする請求項１、請求項３、請求項５のうちの一つに記載の同軸電気コネクタ。
【請求項８】
端子は接続部での中心導体の正規位置に孔部が接続部の板厚方向に貫通して形成されていることとする請求項１、請求項３、請求項５、請求項７のうちの一つに記載の同軸電気コネクタ。
【請求項９】
端子の接続部と押圧部材の少なくとも一方が中心導体に向け付勢される弾性部材を有していることとする請求項１ないし請求項３、そして請求項５ないし請求項６のうちの一つに記載の同軸電気コネクタ。
【発明の詳細な説明】
【技術分野】
【０００１】
本発明は、同軸電気コネクタに関する。
【背景技術】
【０００２】
同軸電気コネクタは、相手コネクタとの嵌合方向に軸線をもち一端側で開口せる嵌合筒状部を有する外部導体と、該嵌合筒状体内に収められ保持されている誘電体と、同軸ケーブルの中心導体が接続される接続部及び相手端子に接触する接触部を備え上記誘電体で保持されている中心端子とを有している。
【０００３】
かかる同軸電気コネクタとして、端子の接続部の支持面上に配された中心導体を圧する押圧部材を有し、外部導体は嵌合筒状部との境界で屈曲されて該嵌合筒状部を覆う蓋部と、該蓋部に連続して形成され該蓋部の屈曲後に同軸ケーブルを囲繞保持する囲繞部とを有する同軸電気コネクタが特許文献１にて知られている。
【０００４】
この特許文献１では、上記押圧部材が端子の一部をなす屈曲片として形成され、中心導体を支持する接続部に向け上記屈曲片が屈曲されて、該屈曲片と接続部との間で中心導体を挟圧するようになっている。したがって、中心導体は端子に半田結線される必要はなく、又、中心導体は軸線に対し直角方向に多少ずれて位置しても接続部との接続には何ら問題はない。  
【特許文献１】特開２００２−３２４６３６
【発明の開示】
【発明が解決しようとする課題】
【０００５】
特許文献１の同軸コネクタは、同軸ケーブルの中心導体をコネクタの端子に半田結線する必要がなく押圧部材による圧接だけで良いので簡単であり、又中心導体がその軸線に直角方向に多少ずれていても押圧部材が十分な大きさの面積を有しているので、接続自体には何ら問題はない。
【０００６】
しかしながら、特許文献１の同軸コネクタにあっては、中心導体がその軸線に対し直角方向にずれた場合、接続自体には何ら問題がなくとも、その接続位置が正規位置から外れることとなるので、インピーダンスが正規値からずれて、高周波特性を低下させる。さらには、上記中心導体の位置が、ケーブルに作用する外力等によって、一定せずに変化していると高周波特性が不安定となる。
【０００７】
本発明は、このような事情に鑑み、同軸ケーブルの中心導体を半田結線することなく、常に正規位置に安定して位置するような同軸電気コネクタを提供することを課題とする。
【課題を解決するための手段】
【０００８】
本発明に係る同軸電気コネクタは、相手コネクタとの嵌合方向に軸線をもち一端側で開口せる嵌合筒状部を有する外部導体と、該嵌合筒状体内に収められ保持されている誘電体と、同軸ケーブルの中心導体が接続される接続部及び相手端子に接触する接触部を備え上記誘電体で保持されている中心端子と、上記接続部の支持面上に配された上記中心導体を圧する押圧部材とを有し、上記外部導体は上記嵌合筒状部との境界で屈曲されて該嵌合筒状部を覆う蓋部と、該蓋部に連続して形成され該蓋部の屈曲後に同軸ケーブルを囲繞保持する囲繞部とを有する。
【０００９】
かかる同軸電気コネクタにおいて、本発明では、押圧部材は誘電体もしくは中心端子の一部として形成されて上記中心端子の接続部の支持面の上記中心導体を押圧するよう該接続部に向け屈曲可能となっており、該押圧部材の上記中心導体に対する押圧面と中心端子の接続部の支持部との少なくとも一方に、中心導体をその半径方向での正規位置を定める位置規制部が形成されていて、上記蓋部の屈曲により、中心導体が押圧部材からの押圧力を受けて上記位置規制部で正規位置に保持されるようになっていることを特徴としている。
【００１０】
このような構成の本発明の同軸電気コネクタに同軸ケーブルを結線する際には、同軸ケーブルの端部被覆を除去して露呈することとなった中心導体を、本発明の同軸電気コネクタの中心端子の接続部に形成されている支持面上に配す。しかる後、外部導体の蓋部を屈曲して押圧部材に押圧力を印加する。押圧部材は、この力を受けて該押圧部材の押圧面と端子の接続部の支持面との間で上記ケーブルの中心導体を挟圧する。本発明では、上記押圧部材の押圧面と端子の接続部の支持面との少なくとも一方に、位置規制部が形成されており、中心導体は上記押圧面と支持面との間で挟圧されるに伴い、上記位置規制部によって正規位置で保持される。かくして、本発明の同軸電気コネクタでは、中心導体は、正規位置に保たれるので、インピーダンスが正規値となり、高周波特性が良好でかつ安定する。
【００１１】
本発明において、押圧部材は誘電体の一部としてあるいは端子の一部として形成することができる。すなわち、本発明において、誘電体が屈曲時の蓋部に押圧されて屈曲する屈曲片を該誘電体の一部として有し、該絶縁屈曲片が押圧部材を形成していることとしたり、端子が屈曲時の絶縁屈曲片に押圧されて屈曲する端子屈曲片を該端子の一部として有し、該端子屈曲片が押圧部材を形成しているようにすることができる。外部導体の蓋部を屈曲すると、該蓋部に押圧されて上記誘電体あるいは端子の一部として形成された押圧部材の押圧面と端子の接続部の支持面との間で中心導体を挟持し、上述した要領で、位置規制部によって中心導体を正規位置で保持する。
【００１２】
本発明において、位相規制部は中心導体の軸線方向に延びる溝部であり、該溝部は溝幅方向で中央位置が一番深く溝側縁位置に向け浅くなっている傾斜溝として形成されて中心導体の案内が可能であることができる。中心導体は、端子の支持面と押圧部材の押圧面で挟圧されることにより、上記位置規制部である傾斜溝内で、その深部に向け案内され、そこで保持される。
【００１３】
本発明において、端子は押圧部材の幅方向両側縁部を受ける受部を該端子の両側縁に有していることとすると有利である。こうすると、押圧部材が圧せられたときに、該押圧部材はその幅方向両側縁部で端子の受部により案内されて、上記幅方向で正規位置にもたらされる。この幅方向は、中心導体の半径方向でもあり、中心導体の正規位置での保持に寄与する。特に、押圧部材に位置規制部が設けられているときには、効果的である。
【００１４】
押圧部材の幅方向両側縁部が端子の受部で案内されるようになっている場合、押圧部材は、幅方向両側縁部側の肉薄部と、幅方向中央部で該肉薄部に対して押圧面が突出する肉厚部とを有していることが有利である。こうすると、押圧部材は上記幅方向両側縁部で端子の受部により幅方向での案内を受けると共に、幅方向中央部の肉厚部の押圧面が十分に中心導体を押圧できる。
【００１５】
本発明において、端子は接続部の支持面そして押圧部材の押圧面の少なくとも一方に中心導体の軸線方向移動を阻止する凹凸部が形成されていることとすると有利である。この凹凸部によって、押圧部材の幅方向で正規位置に保持されている中心導体は、その軸線方向でも移動せず抜けの防止が図られる。
【００１６】
本発明において、端子は接続部での中心導体の正規位置に孔部が接続部の板厚方向に貫通して形成されていることが好ましい。同軸電気コネクタでは、上記接続部の下方、すなわち相手コネクタとの嵌合側は、相手コネクタの中心端子が進入するための空間であって、相手コネクタとの嵌合前は、上記接続部の下面に対する視界を遮るものはない。したがって、たとえ蓋部で覆れて上方からの中心導体の確認が不可能であっても、下方から覗くことにより、上記孔部を通して中心導体を目視できれば、端子の接続面の支持面上の中心導体はその半径方向にも軸線方向にも、正規位置から大きくずれていないということを確認できる。
【００１７】
さらに、本発明において、端子の接続部と押圧部材の少なくとも一方が中心導体に向け付勢される弾性部材を有しているようにすることができる。中心導体に向け付勢されることにより、中心導体と端子との接触が確実となりかつ安定する。
【発明の効果】
【００１８】
本発明は、以上のように、端子の接続部の支持面上に載置されるケーブルの中心導体を押圧部材の押圧面で押圧して挟持し、上記支持面と押圧面の少なくとも一方に中心導体の位置を定める位置規制部を設けることとしたので、コネクタへのケーブル結線時に、上記押圧部材が中心導体を押圧するだけで、中心導体はその軸線に対して直角方向で正規位置に維持され、したがって、インピーダンスが正規値を保ち、高周波特性が良好となり、しかもその特性が安定する。
【発明を実施するための最良の形態】
【００１９】
以下、添付図面にしたがい、本発明の実施の形態を説明する。
【００２０】
図１は、本実施形態の同軸電気コネクタを、各部材の組立前の状態で示す斜視図である。
【００２１】
図１において、コネクタ１は中心端子１０、誘電体２０そして外部導体３０を有している。
【００２２】
中心端子１０は、金属板を加工して作られており、比較的長く延びる平板状の接続部１１と、この接続部１１の長手方向の約半部を占める平坦部１２Ａの両側縁から垂下する接触部１３とを有している。上記接続部１１は、上記平坦部１２Ａに、接続対象たる同軸ケーブルの中心導体の直径よりも若干大きい直径の孔部１２Ａ−１が形成されており、上記平坦部１２Ａにつながり上記長手方向に延びる延出部１２Ｂには、該延出方向に直角に延びる複数の凹条１２Ｂ−１が設けられていて凹凸部を形成している。ここで、この凹凸部は凸条を設けることにより形成してもよい。上記接続部１１の平坦部１２Ａと延出部１２Ｂは、上記中心導体を支持するための支持面１２を形成する。又、接続部１１は上記延出部１２Ｂの両側縁から斜め上方に向け延びる傾斜壁１４を有しており、この傾斜壁１４の上面が、後述の押圧部材のための受部１４Ａを形成している。
【００２３】
上記平坦部１２Ａの両側縁から垂下する一対の接触部１３は、下方に行くにしたがい互いの距離を狭めるように傾斜しており、下端近傍に喉部１３Ａを有し、該喉部１３Ａで相手コネクタのピン状中心導体を挟圧して弾性接触するようになっている。
【００２４】
上記誘電体２０は、樹脂等の電気絶縁材料を成形して作られており、筒状の胴部２１と、該胴部２１の周方向の一部で外周部から起立せる押圧部材２２と、直径方向にて該押圧部材２２と反対側で胴部２１の上縁から半径方向に延出する肩部２３と、該肩部２３の両側で半径方向に該肩部２３よりも長く延出する腕部２４とを一体に有している。
【００２５】
胴部２１は、外周が略円筒形で、中央には上記中心端子１０の支持面１２よりも下方部分を収容する空間として略四角内筒面をもつ端子収容部２５が上下に貫通して開口形成されている。
【００２６】
上記押圧部材２２は、略四角内筒面をなす端子収容部２５の外側で上記胴部２１から起立しており、その基部で屈曲可能となっている。該押圧部材２２の起立高さは、該押圧部材２２がその基部で上記端子収容部２５の方へ屈曲されたときに該押圧部材２２の先端部が中心端子１０を覆うように上記肩部２３にまで及ぶ長さに設定されている。上記押圧部材２２は、胴部２１の半径方向に厚みそして周方向に幅をもつ板片状をなしており、幅方向両側が肉薄部２２Ａをそして中間が肉厚部２２Ｂとなっている。この肉厚部２２Ｂは、幅方向中央がその両側に比し深い凹面をなし、この凹面が押圧面２２Ｂ−１を形成している。この押圧面２２Ｂ−１は幅方向中央で最深をなすので、同軸ケーブルの中心導体をその最深位置たる正規位置へ案内かつ保持するので、該押圧面２２Ｂ−１は中心導体に対し位置規制部をなす。
【００２７】
上記肩部２３は、胴部２１の直径方向で上記押圧部材２２と反対位置で、胴部２１の上縁から半径方向に延出している。その延出長は、上記端子１０が端子収容部２５内に配置されたとき、該端子１０の延出部１２Ｂが載るに足るだけの寸法となっている。上記肩部２３の両側に設けられた腕部２４の内壁面には座部２４Ａが設けられていて、押圧部材２２の肉薄部２２Ａを受けるストッパ座として機能するようになっている。
【００２８】
上記腕部２４は、後述の外部導体３０と相俟って、端子１０に接続され上記肩部２３上に位置する同軸ケーブルを保持するものであって、そのための強度を有している。上記胴部２１、肩部２３そして腕部２４は、本発明の特徴とするところではなく、従来のものと同じで良く、これ以上の詳述は省略する。
【００２９】
誘電体２０を収容する外部導体３０は、金属板を加工して作られており、略円筒状となるように丸められ周方向一箇所に間隙３１Ａを形成する嵌合筒状部３１、上記間隙３１Ａを挟む両側位置から平行に延出する保持腕３２、直径方向で上記間隙３１Ａと反対側に位置して上記嵌合筒状部３１の上端から起立して設けられた蓋部３３、固定部３４そして囲繞部３５とを有している。
【００３０】
上記嵌合筒状部３１は、誘電体２０を受ける突状座部３１Ｂを内面に有し、外周面下端近傍には相手コネクタの外部導体との嵌着時にロックの機能をもたらす環状ロック溝３１Ｃ、そして、嵌合筒状部３１に拡径方向の弾性を与えるための切込溝３１Ｄが周方向の複数位置に形成されている。
【００３１】
保持腕３２は、上記誘電体２０の腕部２４を外側から抱え込む形態となっている。該保持腕３２は先端部が屈曲され、その屈曲部にケーブルの延出を可能とするための凹部３２Ａが形成されている。
【００３２】
上記蓋部３３は、くびれ部３６を介して嵌合筒状部３１と連結されていて、このくびれ部３６にて上記嵌合筒状部３１が屈曲可能となっており、屈曲されることにより上記嵌合筒状部３１を上方から覆うようになっている。該蓋部３３は平板部３３Ａとその両側で屈曲された二つの側部３３Ｂとを有しており、該平板部３３Ａには上記側部３３Ｂが屈曲形成されている側の面にエンボス加工により突条部３３Ｃが形成されている。上記二つの側部３３Ｂの内対向面同士間距離は上記嵌合筒状部３１の外径と同じもしくはこれよりも若干大きく設定されている。
【００３３】
上記蓋部３３につづいて設けられている固定部３４は、上記蓋部３３と類似する形をなし、平板部３４Ａと側部３４Ｂとを有している。この固定部３４は、上記くびれ部３６で蓋部３３が屈曲されたときに、上記側部３４Ｂが保持腕３２の外側面に面するように形成されている。したがって、蓋部３３の二つの側部３３Ｂと比較すると、該固定部３４の二つの側部３４Ｂ同士間の距離は蓋部３３の場合よりも若干狭い。
【００３４】
上記固定部３４につづいて設けられている囲繞部３５は、上記固定部３４と類似する形をなし、平板部３５Ａと側部３５Ｂとを有している。この囲繞部３５は、上記くびれ部３６で蓋部３３が屈曲されたときに、上記保持腕３２の凹部３２Ａを通って延びる同軸ケーブルの被覆部に被さるように位置している。また囲繞部３５の各側部３５Ｂは、このケーブルの被覆へのカシメにより該被覆を囲繞かつ圧着するのに好都合となるように、スリット３５Ｃにより二つの片に分離されている。
【００３５】
このような外部導体３０自体は、本発明の特徴とするところではなく、従来のものと同じでよいので、これ以上の詳述は省略する。
【００３６】
次に、このような中心端子１０、誘電体２０そして外部導体３０を有する同軸電気コネクタの組立て、そして使用要領を説明する。
【００３７】
（１）図１のごとくの中心端子１０を誘電体２０の端子収容部２５内へ収め、この誘電体２０を外部導体３０の嵌合筒状部３１内へ圧入し、図２に示されるコネクタを完成させる。
【００３８】
（２）次に、図２のごとく完成されたコネクタへ、図３（Ａ）のごとく、外被Ｃ１、シールド線Ｃ２、誘電体Ｃ３がケーブルの端部にて逐次除去されて中心導体Ｃ４が露呈することとなった同軸ケーブルＣを配置する。中心導体Ｃ４は端子１０の接続部１１の支持面１２上にあって孔部１２Ａ−１を遮るように位置する。この様子を拡大して示す図４に見られるように、中心導体Ｃ４が正規位置Ｉにあれば、たとえ、蓋部３３で覆れていて上方からの確認が不可能であっても、コネクタの下方から覗くとその状態が孔部１２Ａ−１を通して確認できる。又、図４において、中心導体Ｃ４が位置II，IIIのごとく正規位置Ｉからずれていたり、不存在であっても、その様子が判る。中心導体Ｃ４が正規位置にあることが確認された状態では、ケーブルの誘電体Ｃ３は、端子１０の延出部１２Ｂの端部に形成された段部１２Ｂ−２そしてこれにつづく誘電体２０の肩部２３上に載置されている。シールド線Ｃ２そして外被Ｃ１は、外部導体３０の保持腕３２外に位置している。
【００３９】
（３）ケーブルＣの中心導体Ｃ４がこのように端子１０の支持面１２上に支持されてる状態で、押圧部材２２を、図３（Ｂ）のごとく、その基部にて屈曲し、該押圧部材２２の押圧面２２Ｂ−１が端子１０の支持面１２上の中心導体Ｃ４に接面させる（図５参照）。上記屈曲過程において、押圧部材２２がその幅方向に正規位置からずれている場合には、図５に見られるように、該押圧部材２２の肉薄部２２Ａの側縁が端子１０の傾斜壁１４の受面１４Ａに当接して正規位置へと上記幅方向に案内される。
【００４０】
（４）しかる後、外部導体３０の蓋部３３をその基部にて屈曲し、図３（Ｃ）に見られるように、該蓋部３３でコネクタの上部を覆うと共に、固定部３４でケーブルを誘電体に対し固定し、囲繞部３５でケーブルを囲繞かつ圧着する。上記蓋部３３がその基部で屈曲されると、図５のごとく、該蓋部３３は押圧部材２２を強く押圧し、その結果、該押圧部材２２の押圧面２２Ｂ−１と端子１０の支持面１２との間で中心導体Ｃ４を挟圧力をもって保持する。押圧面２２Ｂ−１は凹面をなしているので、中心導体Ｃ４は多少正規位置からずれていても、上記挟圧力によって、位置規制部たる押圧面２２Ｂ−１の最深の正規位置へと案内され、そこで保持される。固定部３４は保持腕３２を抱き込むように屈曲されてこれを保持し、囲繞部３５はケーブルＣの外被を囲繞して圧着保持する。このように、固定部３４そして囲繞部３５での保持により、上記挟持力は維持される。この挟持力のもとで、中心導体Ｃ４は端子１０の凸条１２Ｂ−１に圧せられるので、ケーブルの抜けも効果的に防止される。なお、上記外部導体３０の蓋部３３を屈曲することにより、上記誘電体２０の押圧部材２２を一緒に屈曲することもでき、これにより屈曲作業が一度で済み作業が簡単となる。
【００４１】
本発明は、図１〜図５の実施形態に限定されず、種々変更が可能である。
【００４２】
例えば、中心導体を正規位置へ案内しそこに保持する位置規制部は押圧部材の押圧面に形成されているのみならず、端子側に形成されていることとしても、押圧部材そして端子の両方に形成されていてもよい。
【００４３】
図６は端子１０の支持面１２に位置規制部たる凹面が形成され、図７は押圧部材２２の押圧面２２Ｂ−１と端子１０の支持面１２の両方に位置規制部たる凹面が形成されている例を示す。
【００４４】
位置規制部としての凹面は、弯曲面である必要はなく、正規位置における中心導体の軸線の位置に向け深くなるように二つの傾斜面をもつテーパ面でも、あるいは、段部をもって樋状に形成されその段をなす両エッジ間の距離が中止導体の直径よりも小さくした凹部であってもよい。前者にあってはテーパ面で中心導体を確実そして安定して正規位置に保持するし、後者にあって両エッジで中心導体の外周面を支持して、やはり正規位置に保持する。
【００４５】
さらには、押圧部材は誘電体の一部としてではなく、端子の一部として形成されていることも可能である。図８（Ａ）において、端子１０は、孔部１２Ａ−１側の支持面１２の端部で屈曲されて該端部から延びる押圧部材１５を一体に有している。該押圧部材１５はその内面たる押圧面１５Ａが、図１の誘電体２０の押圧部材２２の押圧面２２Ｂ−１と同様な、凹面をなしている。このような端子１０は、図８（Ｂ）のようにコネクタに組み込まれると、誘電体２０の押圧部材２２に圧せられて、上記端子１０の押圧部材１５がその押圧面１５Ａと支持面１２との間で中心導体を挟圧して、中心導体を正規位置へ案内しそこで保持するようになる。
【００４６】
このように、押圧部材は誘電体の一部として形成されるだけでなく、端子の一部としても形成され得るが、さらには、誘電体あるいは端子と別体の部材としても形成可能である。その場合、その押圧部材は端子あるいは誘電体との正規の位置関係を保っていることが求められる。例えば、図９のごとく、押圧部材２２が外部導体３０の蓋部３３の内面に貼付されて蓋部３３と一体をなしていてもよい。
【００４７】
誘電体あるいは端子に形成される位置規制部としての凹面は、幅方向中央位置が深く形成されているが、この凹面を中心導体の軸線方向に連続的あるいは断続的に延びる溝部とすることもできる。あるいは、点状に存在する規制点として形成してもよい。
【００４８】
また、端子の接続部と押圧部材の少なくとも一方が中心導体に向け付勢される弾性部材を有しているようにすることもできる。図１０において、端子１０の接続部１１は右端側に向け上方に傾斜して浮いており、上下方向に弾性を有している。したがって、中心導体が上記接続部１１と誘電体２０の押圧部材２２との間で挟持されるとき、付勢力をもって挟持されるので、端子１０との接触が確実となりかつ安定する。上記弾性部材は、上記押圧部材２２側に設けることもできる。例えば、図１０にて二点鎖線で示されるように、押圧部材２２と外部導体３０の蓋部３３との間に板ばね等２２Ｃを介在させておけば、蓋部３３と一緒に押圧部材２２が屈曲されたとき、押圧部材２２は上記板ばね等２２Ｃからの付勢力を受けて、この付勢力を伴って中心導体を端子の接続部との間で挟持する。
【００４９】
さらには、図１ないし図３で図示の実施形態では、中心導体の軸線方向での抜け防止のために、端子の支持向上に凹凸部を設けたが、この凹凸部は、対向する押圧部材側に設けても、或は両方に設けてもよい。両方に設けた場合、互の凸部の位置をずらして、一方の凸部に対して他方の凹部が対向するように設けることが好ましい。
【図面の簡単な説明】
【００５０】
【図１】本発明の一実施形態としての同軸コネクタを、各部材が組立前の分離状態で示す斜視図である。
【図２】図１のコネクタの組立後、ケーブル接続前の状態で示す斜視図である。
【図３】図２のコネクタへのケーブル接続を順を追って示し、（Ａ）はケーブル配置時、（Ｂ）は押圧部材屈曲時、（Ｃ）は蓋部材屈曲後のケーブル接続完了時をそれぞれ示す斜視図である。
【図４】図２の端子の孔部の様子を示す端子拡大斜視図である。
【図５】図１のコネクタの押圧部材の押圧面と端子の支持面とでケーブルを保持している状態を示す断面図である。
【図６】図５の変形例を示す断面図である。
【図７】図５の他の変形例を示す断面図である。
【図８】他の実施形態の斜視図であり、（Ａ）は端子のみ、（Ｂ）はこの端子を組み込んだコネクタを示す。
【図９】本発明のさらに他の実施形態を示す斜視図である。
【図１０】本発明のさらに他の実施形態を示す断面図である。
【符号の説明】
【００５１】
１０  中心端子                              ２２  押圧部材
１１  接続部                                ２２Ａ  肉薄部
１２  支持面                                ２２Ｂ  肉厚部
１２Ａ−１  孔部                            ２２Ｂ−１  押圧面（位置規制部）
１２Ｂ−２  凸条（凹凸部）                  ３０  外部導体
１３  接触部                                ３１  嵌合筒状部
１５  押圧部材                              ３３  蓋部
１５Ａ  押圧面（位置規制部）                ３５  囲繞部
２０  誘電体
【図１】
2008147094.tif 000003
【図２】
2008147094.tif 000004
【図３】
2008147094.tif 000005
【図４】
2008147094.tif 000006
【図５】
2008147094.tif 000007
【図６】
2008147094.tif 000008
【図７】
2008147094.tif 000009
【図８】
2008147094.tif 000010
【図９】
2008147094.tif 000011
【図１０】
2008147094.tif 000012